(57)【要約】【課題】  装置本体の小型化を図りながら、電子部品の実装面積を確保することができる撮像装置を提供する。【解決手段】  撮影光学系を有するレンズ鏡筒（１）と、電気部品が実装された第１および第２の基板（４ａ、４ｂ）とを有し、第１および第２の基板が、光軸方向において互いに向かい合う位置に配置され、第１および第２の基板のうち少なくとも一方の基板が、レンズ鏡筒に対する光軸直交面内に配置されている。【選択図】  図１
2005117573.tif 000002
【特許請求の範囲】
【請求項１】
撮影光学系を有するレンズ鏡筒と、
電気部品が実装された第１および第２の基板とを有し、
前記第１および前記第２の基板が、光軸方向において互いに向かい合う位置に配置され、前記第１および前記第２の基板のうち少なくとも一方の基板が、前記レンズ鏡筒に対する光軸直交面内に配置されていることを特徴とする撮像装置。
【請求項２】
装置本体に着脱される着脱部材を収納する収納室を有し、
前記第１および前記第２の基板の光軸方向における間隔が、前記収納室の光軸方向における長さと略等しいことを特徴とする請求項１に記載の撮像装置。
【請求項３】
前記第１および前記第２の基板が、装置本体内に設けられた枠部材に固定されていることを特徴とする請求項１又は２に記載の撮像装置。
【請求項４】
前記第１および前記第２の基板が連結されていることを特徴とする請求項１から３のいずれか１つに記載の撮像装置。
【請求項５】
互いに連結された前記第１および前記第２の基板が、リジッドフレキシブルプリント基板で構成されていることを特徴とする請求項４に記載の撮像装置。
【請求項６】
前記第１および前記第２の基板のうち一方の基板が、前記収納室に収納された着脱部材からの信号が入力される入力部を有し、
他方の基板が、前記入力部からの信号を装置本体内の構成部材に出力する出力部を有することを特徴とする請求項４又は５に記載の撮像装置。
【請求項７】
前記第１の基板が、前記収納室に直接接続されており、
前記第２の基板が、前記構成部材に直接接続されていることを特徴とする請求項６に記載の撮像装置。
【発明の詳細な説明】
【技術分野】
【０００１】
本発明は、撮像装置内における構成部材の配置に関するものである。
【背景技術】
【０００２】
近年カメラ、特にデジタルカメラの小型化に関する要求が高まっており、デジタルカメラを小型化していく上で、電子部品が搭載された基板を配置するスペースの確保が難しくなってきている。
【０００３】
このため、カメラ内に基板をレイアウトする上で妨げとなる撮影レンズユニットをカメラの一端側（例えば、カメラの左右方向の端側）に配置して、カメラ内のうち撮影レンズユニットが配置されていない領域に基板を配置するようにすることで、基板の形状をシンプルにするとともに、基板の面積（電子部品の実装面積）を大きく取れるようにしたカメラがある。
【０００４】
また、撮影レンズユニットの後方（撮影レンズユニットに対してカメラ背面側）に基板をレイアウトしたカメラがある。このカメラでは、基板の配置スペース撮影レンズユニットによって制限されないため、基板の実装面積を大きくとることができる。
【発明の開示】
【発明が解決しようとする課題】
【０００５】
しかしながら、基板の配置スペースの確保を優先して撮影レンズユニットをカメラの一端側に配置したカメラでは、カメラの構成上、グリップ部分が形成されている位置とは反対のカメラ端側へ撮影レンズユニットを配置しなくてはならない。この場合、グリップ部分および撮影レンズユニット間の距離が長くなってしまうため、グリップ部分での手振れが撮影レンズユニットに大きな影響を与えてしまう。すなわち、グリップ部分での手振れが小さくても、グリップ部分から離れた位置にある撮影レンズユニットでは、大きな振れとなってしまう。これにより、撮影画像に手振れの影響が大きく出るといった問題がある。
【０００６】
ここで、上記の手振れを防止するためには、カメラのうち撮影レンズユニットが配置されている側を手で支えることができるが、この場合、撮影レンズユニットがあることでカメラを保持し難くなるとともに、撮影レンズユニットの前面に指がかかってしまい撮影失敗を引き起こしてしまう可能性もある。
【０００７】
また、上記の撮影レンズユニットのレイアウトでは、カメラのレイアウト上、ストロボ発光部が撮影レンズユニットの上部に配置されたり、カメラ中央の上部に配置されたりすることになる。
【０００８】
しかし、前者のストロボ発光部のレイアウトの場合には、ストロボ発光部が撮影レンズユニットに対して非常に接近した位置に配置されることになり、ストロボ発光時に赤目の発生の危険性が高くなるといった問題がある。
【０００９】
また、後者のストロボ発光部のレイアウトの場合には、縦位置撮影を行った場合に、通常グリップ部分が下側（例えば、地面側）を向く場合が多いため、撮影レンズユニットに対してストロボ発光部が下側に位置することになり、ストロボ発光時に被写体に対して下側からストロボ光が照射されることで、撮影画像が不自然な画像になってしまうという問題がある。
【００１０】
一方、撮影レンズユニットの後方に基板を配置したカメラでは、撮影レンズユニットの後方に十分な部品実装面積をもつ基板を配置することができるが、基板を配置した分だけカメラの厚み（カメラの光軸方向における長さ）が厚くなってしまう（大型化してしまう）という問題がある。
【００１１】
ここで、上述した問題点を解決するためには、カメラの略中央部に撮影レンズユニットを配置するとともに、撮影レンズユニットの後方に基板を配置しないようにしたカメラにおいて、撮影レンズユニットの周辺のスペースにいかに効率良く基板等を配置するかが課題となる。
【００１２】
本発明は、上記の課題を解決するためになされたものであり、装置本体の小型化および薄型化を実現しつつ、撮影レンズユニットを装置本体の略中央に配置しながら回路基板をスペース効率良く配置することができる撮像装置を提供することを目的とする。
【課題を解決するための手段】
【００１３】
本発明は、撮影光学系を有するレンズ鏡筒と、電気部品が実装された第１および第２の基板とを有し、第１および第２の基板が、光軸方向において互いに向かい合う位置に配置され、第１および第２の基板のうち少なくとも一方の基板が、レンズ鏡筒に対する光軸直交面内に配置されていることを特徴とする。
【発明の効果】
【００１４】
本発明によれば、電気部品が実装される第１および第２の基板を、光軸方向において互いに向かい合う位置に配置することで、レンズ鏡筒の周辺における小さなスペースであっても第１および第２の基板を用いることによって電気部品を実装する面積を確保することができる。しかも、第１および第２の基板のうち少なくとも一方の基板を、レンズ鏡筒に対する光軸直交面内に配置することで、従来のようにレンズ鏡筒の後方に面積の大きな基板を配置する場合に比べて、撮像装置の厚み（光軸方向における長さ）を薄く（小型化）することができる。
【００１５】
ここで、装置本体に着脱される着脱部材を収納する収納室を有する撮像装置において、前記第１および前記第２の基板の光軸方向における間隔を、前記収納室の光軸方向における長さと略等しくすることで、第１および第２の基板を収納室の側面（光軸直交面）と同一面内に位置させ、これら基板および収納室によってフラットな面を形成することができる。これにより、例えば、第１（第２）の基板および収納室の側面に対して、装置本体の一部を構成する部材を配置し易くことができる。しかも、この部材を第１（第２）の基板および収納室に対して無駄な隙間を作ることなく配置することができ、装置本体内のスペースを効率良く利用することができる。
【００１６】
なお、第１および第２の基板のうち一方の基板を、収納室の側面と同一面内に位置させるようにしても同様の効果を得ることができる。
【００１７】
前記第１および前記第２の基板を、装置本体内に設けられた枠部材に固定すれば、基板に対する強度を確保することができる。
【００１８】
前記第１および前記第２の基板を連結して１つの部材として構成すれば、撮像装置の組み立て作業を容易に行うことが可能となる。そして、互いに連結された前記第１および前記第２の基板（ハード基板）を、リジッドフレキシブルプリント基板で構成すれば、第１および第２の基板におけるそれぞれの両面に電気部品を実装することができ、部品実装密度を高めることができる。また、多層の基板を用いれば、配線密度を上げることができ、高密度実装化を図ることができる。
【００１９】
前記第１および前記第２の基板のうち一方の基板に、前記収納室に収納された着脱部材からの信号が入力される入力部を設け、他方の基板に、前記入力部からの信号を装置本体内の構成部材に出力する出力部を設けることにより、装置本体内において入出力の配線を簡単な構成とすることができる。
【００２０】
前記第１の基板を前記収納室に直接接続させ、前記第２の基板を前記構成部材に直接接続させれば、例えば、収納室に電池を収納した際に、リード線等を介して接続する場合に比べて、電流のロスを低減することができる。
【発明を実施するための最良の形態】
【００２１】
以下、本発明の実施例について説明する。
【実施例１】
【００２２】
本発明の実施例１であるデジタルカメラ（撮像装置）について、図１から図５を用いて詳細に説明する。図１〜図４は、本実施例のカメラのうち主要部材の構成を表す斜視図である。また、図５は、カメラを側面から見たときのレンズ鏡筒およびリジッドフレキシブルプリント基板の位置関係を示した図である。ここで、図１〜図４に示す構造部材は、カメラの外装を構成する外装部材（不図示）によって覆われる。
【００２３】
図１において、１は、撮影レンズやシャッタ等を備えたレンズ鏡筒であり、光軸方向に繰り出したり、繰り込んだりすることによって撮影光学系の焦点距離を変更する。本実施例のカメラは、電源オフのときにレンズ鏡筒１がカメラ本体内に収納される、いわゆる沈胴式のレンズ鏡筒を備えたカメラである。
【００２４】
２は、カメラの電源となる電池（着脱部材）である。３は、電池２を収納する電池収納室であり、電池２を出し入れするための開口部（不図示）を有している。
【００２５】
４はリジッドフレキシブルプリント基板であり、電子部品が実装された基板４ａ、４ｂと、これらの基板（第１および第２の基板）４ａ、４ｂを連結するフレキ部４ｃとを有している。ここで、基板４ａ、４ｂは、レンズ鏡筒１に対して電池収納室３が配置されている側とは反対側のスペースおよび、レンズ鏡筒１に対してカメラ下側のスペース内に配置されており、レンズ鏡筒１の外周のうち一部の領域と、カメラ本体の２つの側辺に沿った形状に形成され、略Ｌ字型の形状となっている。
【００２６】
リジッドフレキシブルプリント基板４は、フレキ部４ｃにおいて折り曲げられ、基板４ａおよび基板４ｂが光軸方向において互いに向かい合うように配置されている。
【００２７】
上述した構成により、レンズ鏡筒１をカメラの略中央に配置しても、レンズ鏡筒１の周辺における限られたスペースを有効に利用して、基板に対して電子部品を実装するために十分な面積をもたせることができる。すなわち、レンズ鏡筒１の周辺のスペースに、２つの基板４ａ、４ｂを光軸方向において隣り合うように配置することで、カメラを大型化させずに、電子部品を実装するための十分な面積を確保することができる。
【００２８】
しかも、基板４ａ、４ｂは、図５に示すようにレンズ鏡筒１の光軸方向における長さの範囲内に配置されているため、従来のようにレンズ鏡筒の後方に大きな基板を配置した場合のようにカメラが大型化（カメラの厚みが厚くなる）することもない。
【００２９】
基板４ａ、４ｂには各種の電子部品が実装されており、リジッドフレキシブルプリント基板４全体でＤＣ／ＤＣコンバーター回路を構成している。
【００３０】
図２に示すように、基板４ａおよび基板４ｂの表面のうち互いに向かい合う面にそれぞれ実装される複数の電子部品は、基板４ａおよび基板４ｂを光軸方向において互いに向かい合うように配置したときに、互いに干渉しない位置に配置されている。しかも、基板４ａおよび基板４ｂの光軸方向における間隔が、電池収納室２における光軸方向の長さと略同じになるように最適な基板間隔に設定されている。
【００３１】
７は、被写体に照明光を照射させるための照明ユニットであり、カメラ本体の上部に配置されている。
【００３２】
ここで、図２は、図１に示す構造においてリジッドフレキシブルプリント基板４を展開した状態を表す斜視図である。なお、同図においては、レンズ鏡筒１を省略して示している。
【００３３】
図２において、基板４ｂにはフレキ部４ｈが取り付けられており、このフレキ部４ｈの先端には基板４ｇが連結されている。基板４ｇにはスルーホールが形成されており、このスルーホールには、電池収納室３に設けられた電池接片８の一部が延長された舌片８ａが挿入されている。そして、舌片８ａは、スルーホールに挿入された状態で基板４ｇに半田付けされている。
【００３４】
これにより、電池収納室３に電池２が装填された状態で、ＤＣ／ＤＣコンバーター回路の搭載されたリジッドフレキシブルプリント基板４に電池２からの電源が供給される。
【００３５】
このような構成により、リード線などを用いることなく、電池２からの電源をＤＣ／ＤＣコンバーター回路の搭載されたリジッドフレキシブルプリント基板４に直接供給することができるため、電池電源からＤＣ／ＤＣコンバーター回路までの配線抵抗による電流のロスを少なくすることができる。
【００３６】
リジッドフレキシブルプリント基板４は、照明ユニット７のベース部材と一体的に構成されている。また、リジッドフレキシブルプリント基板４は、基板４ａに形成された切り欠き部４ａ１を枠部材５に形成された爪部５ａに係合させるとともに、基板４ｂに形成された不図示の切り欠き部（切り欠き部４ａ１に相当する）を枠部材５に形成された不図示の爪部（爪部５ａに相当する）に係合させることで、枠部材５に位置決めされた状態で保持される。このとき、リジッドフレキシブルプリント基板４は、枠部材５を挟み込んだ状態となる。
【００３７】
そして、不図示の固定部材が、基板４ａのカメラ前面側および基板４ｂのカメラ背面側に当接して、基板４ａ、４ｂを挟み込むことによって、リジッドフレキシブルプリント基板４は枠部材５に固定される。
【００３８】
このようにフレキ部４ｃを折り曲げ、基板４ａ、４ｂが光軸方向で互いに向かい合った状態でリジッドフレキシブルプリント基板４を枠部材５に固定することにより、枠部材５を、基板４ａおよび基板４ｂの基板間隔を保つための簡単な形状とするだけで、リジッドフレキシブルプリント基板４が枠部材５に固定された状態での強度を確保することができる。
【００３９】
一方、基板４ａは、図３に示すように、不図示の三脚が装着される金属製の三脚支持部材９に対してビスによって固定される。基板４ａのビス止め部分には、ＧＮＤパターンが露出されており、ビス止めを行うことでリジッドフレキシブルプリント基板４のＧＮＤと三脚支持部材９とを電気的に導通させている。これにより、カメラに生じた静電気等を逃がすことができる。
【００４０】
また、三脚支持部材９は、図４に示す金属製のメインシャーシ１０に対してビスによって固定されている。
【００４１】
メインシャーシ１０は、後述するメイン基板６などのカメラを構成する回路基板がビスによって固定されることで、この回路基板を保持する。また、回路基板のビス止め部分にはＧＮＤパターンが露出しているため、メインシャーシ１０は回路基板のＧＮＤと電気的に導通するようになっており、カメラ全体における基準のＧＮＤになっている。
【００４２】
上記の構造により、三脚支持部材９が電源の供給元と直接連結されたリジッドフレキシブルプリント基板４のＧＮＤと直結していることになり、カメラ全体を安定的なＧＮＤとすることが可能となっている。
【００４３】
６はメイン基板であり、電池収納室３やリジッドフレキシブルプリント基板４（基板４ａ）に対してカメラ前面側に配置されている。このメイン基板６は、一部が切り欠かれた形状となっており、メイン基板６を組み込んだ際に、レンズ鏡筒１や照明ユニット７と干渉することがないような形状に形成されている（図１参照）。
【００４４】
ここで、基板４ａおよび基板４ｂの光軸方向における間隔は、上述したように電池収納室２の光軸方向における長さと略等しくなっており、基板４ａの表面と電池収納室２のカメラ前面側の表面は、略同一面内に位置するようになっている。すなわち、電池収納室２および基板４ａによってフラットな面が形成される。このため、メイン基板６は、電池収納室３の表面や基板４ａの表面に対して無駄なスペースを生じさせることなく、取り付けることができる。これにより、メイン基板６に、カメラの前面側全体で広い面積をもたせることができる。
【００４５】
カメラ本体内に設けられた不図示の撮像素子（例えば、ＣＣＤやＣＭＯＳイメージセンサ）は、フレキシブルプリント基板１５を介してメイン基板６上に設けられたコネクタ６ａに接続されている。ここで、上記の撮像素子は、レンズ鏡筒１内の撮影レンズによって形成された光学像（被写体像）に対して光電変換を行うことによって、受光量に応じた電気信号を生成する。
【００４６】
撮像素子から読み出された画像信号（画像データ）は、フレキシブルプリント基板１５を介してメイン基板６に実装された制御回路に送られる。制御回路は、入力された画像データに対して所定の処理（例えば、色処理）を行った後に、後述するＬＣＤユニット１２に出力し、ＬＣＤユニット１２で撮影画像を表示させたり、カメラ本体に装着される記録媒体に記録したりする。
【００４７】
レンズ鏡筒１は、フレキシブルプリント基板１６およびメイン基板６上のコネクタ６ｂを介して制御回路に接続されており、制御回路からの出力に基づいて動作する。例えば、制御回路の出力に基づいてレンズ鏡筒１内に配置されたシャッタの駆動が制御される。
【００４８】
基板１１は、カメラ本体の背面側に配置されており、この表面には不図示の操作スイッチが実装される。基板１１は、フレキシブルプリント基板１１ａを介してメイン基板６のコネクタ６ｃに接続されており、操作スイッチからの信号をメイン基板６上の制御回路に伝達する。制御回路は、操作スイッチからの信号に応じた所定の処理を行う。
【００４９】
ＬＣＤユニット１２は、カメラ本体の背面側に配置されており、撮影画像や撮影情報等を表示する。このＬＣＤユニット１２は、フレキシブルプリント基板１２ａおよびコネクタ６ｄを介してメイン基板６上の制御回路に接続されている。制御回路は、ＬＣＤユニット１２の駆動を制御することによってＬＣＤユニット１２での表示内容を変更する。
【００５０】
カメラ本体の底面に配置されたプリント基板１３は、フレキシブルプリント基板１４を介してメイン基板６上のコネクタ６ｅに接続されている。
【００５１】
基板４ａから延びたフレキ部４ｅの一端には基板４ｄが設けられており、この基板４ｄにはコネクタ４ｆが実装されている。コネクタ４ｆは、メイン基板６に実装されたコネクタ６ｆに接続される。すなわち、図２に示す状態において、リジッドフレキシブルプリント基板４のフレキ部４ｃを折り曲げるとともに、フレキ部４ｅを折り曲げることによってリジッドフレキシブルプリント基板４を図１に示す状態とする。そして、メイン基板６を取り付けた後に、フレキ部４ｅを更に折り曲げることで、コネクタ４ｆをメイン基板６上のコネクタ６ｆに接続させる。これにより、図３に示す状態となり、メイン基板６およびリジッドフレキシブルプリント基板４が接続されることになる。
【００５２】
リジッドフレキシブルプリント基板４におけるＤＣ／ＤＣコンバータ回路によって生成された電圧は、フレキ部４ｅを介してメイン基板６に実装された各種の電気部品に供給される。
【００５３】
上述したようにリジッドフレキシブルプリント基板４は、フレキ部４ｈを介して電池２からの電源供給を受け、ＤＣ／ＤＣコンバータ回路によって所定の動作電圧に変換した後、フレキ部４ｅを介してメイン基板６上の電気部品に供給する。これにより、電池２からの電流をメイン基板６上の電気部品にスムーズに供給できる基板レイアウト（単純なレイアウト）を実現している。
【００５４】
本実施例では、フレキ部４ｈに設けた基板４ｇに、電池接片８の一部が延長された舌片８ａを接続する構成としているが、電池接片の一部を基板４ｂまで延長させて、舌片８ａを直接基板４ｂに接続する構成としてもよい。
【００５５】
また、本実施例では、リジッドフレキシブルプリント基板４とメイン基板６との接続は、フレキ部４ｅ、基板４ｄを介してコネクタ４ｆおよびメイン基板６のコネクタ６ａを接続する構成としているが、リジッドフレキシブル基板４（基板４ａ）およびメイン基板６のうち互いに対向する面にコネクタを設け、このコネクタ同士を接続する構成とすることもできる。
【００５６】
さらに、本実施例では、基板４ａ、４ｂの光軸方向における間隔を、電池収納室３の光軸方向における長さと略等しくなるようにしているが、電池収納室３に対して光軸方向で隣り合う位置に、記録媒体を収納する記録媒体収納室を設けた場合には、基板４ａ、４ｂの光軸方向における間隔を、電池収納室３および記録媒体収納室を含む光軸方向における長さと略等しくすることができる。
【００５７】
これにより、上述したのと同様にカメラ前面側およびカメラ背面側における面を略同一面（フラット）とすることができ、平板状のメイン基板６等を組み込んだ際に、無駄な隙間が生じるのを防止することができる。
【００５８】
また、本実施例では、図５に示すように基板４ａ、４ｂがレンズ鏡筒１に対する光軸直交面内に位置するように配置されているが、基板４ａ、４ｂのうち一方の基板がレンズ鏡筒１に対する光軸直交面内に位置するようにしてもよい。
【図面の簡単な説明】
【００５９】
【図１】本発明の実施例１であるカメラの主要部の構成を表す斜視図である。
【図２】リジッドフレキシブルプリント基板４を展開した状態を表す斜視図である。
【図３】実施例１であるカメラのうち外装部材を取り外した状態の前面側の斜視図である。
【図４】実施例１であるカメラのうち外装部材を取り外した状態の背面側の斜視図である。
【図５】実施例１のカメラにおいて、レンズ鏡筒およびリジッドフレキシブルプリント基板の位置関係を示す図。
【符号の説明】
【００６０】
１：レンズ鏡筒
２：電池
３：電池収納室
４：リジッドフレキシブルプリント基板
４ａ、４ｂ、４ｄ、４ｇ：基板部
４ｃ、４ｅ、４ｈ：フレキ部
５：枠部材
６：メイン基板
６ａ：コネクタ
７：照明ユニット
８：電池接片
８ａ：舌片
９：三脚支持部材
１０：メインシャーシ
１１：基板
１４、１５、１６：フレキシブルプリント基板
１２：ＬＣＤユニット
１３：プリント基板
【図１】
2005117573.tif 000003
【図２】
2005117573.tif 000004
【図３】
2005117573.tif 000005
【図４】
2005117573.tif 000006
【図５】
2005117573.tif 000007